(57)【要約】    【課題】クッション材と表面生地の組合せを工夫することにより、緩衝性と屈曲性を併せ持ったバッグを提供する。    【解決手段】内側クッション材として低反発ウレタンフォーム（４）を使用し、外側表面生地として前記低反発ウレタンフォームの硬度よりもより高い硬度を有する硬質部材層（３）を使用する。前記硬質部材層（３）の硬度が２５〜５０であることが好ましく、例えばＥＶＡ（エチレン酢酸ビニル）樹脂が好ましい。前記低反発ウレタンフォーム（４）の厚みは４〜８ｍｍが好ましく、前記硬質部材層（３）の厚みは２〜４ｍｍが好ましい。【選択図】  図２
2005224397.tif 000002
【特許請求の範囲】
【請求項１】
内側クッション材として低反発ウレタンフォーム（４）を使用し、外側表面生地として前記低反発ウレタンフォームの硬度よりもより高い硬度を有する硬質部材層（３）を使用することを特徴とするバッグ。
【請求項２】
前記低反発ウレタンフォームの厚みが４〜８ｍｍである請求項１記載のバッグ。
【請求項３】
前記硬質部材層（３）の硬度が２５〜５０である請求項１又は２記載のバッグ。
【請求項４】
前記硬質部材層（３）の厚みが２〜４ｍｍである請求項１ないし３のいずれかに記載のバッグ。
【請求項５】
前記硬質部材層（３）がＥＶＡ（エチレン酢酸ビニル）樹脂である請求項１ないし４のいずれかに記載のバッグ。
【請求項６】
前記硬質部材層（３）がウレタン発泡体又はポリエチレン発泡体である請求項１ないし４のいずれかに記載のバッグ。
【発明の詳細な説明】
【技術分野】
【０００１】
本発明は、主として運搬中の振動から内部物品を保護することを目的とするバッグに関する。内部物品としては、精密機械（例えば、パソコン、カメラ、携帯電話、各種測定機器、等）や傷が付きやすい表面を有する商品（例えば、メガネ、双眼鏡、望遠鏡、等）があげられる。以下においては、パソコンを例にとって説明する。
【背景技術】
【０００２】
市販のパソコンの携帯バッグには様々な種類があるが、精密機械を振動から守るために内部に何らかの緩衝物を設けている。例えば、バッグ生地にクッション材を貼りあわせたり、パソコンが内部で移動しないように紐で固定したりしている。バッグ生地としては、(1)低反発ウレタンフォーム一層からなるもの、(2)ＥＶＡ（エチレン酢酸ビニル）樹脂からなる熱プレス成型品、(3)ウレタン樹脂を使用したもの（下記特許文献１参照）等が知られている。
【特許文献１】特開２０００−２１７６２２
【発明の開示】
【発明が解決しようとする課題】
【０００３】
クッション材として使用する低反発ウレタンフォームは、遅行弾性回復性能をもった素材で、反発性が低いため、圧力を満遍なく分散させることができる特徴を持つ。
【０００４】
低反発ウレタンフォーム層は面に対する衝撃に対しては比較的に強いが、点に対する衝撃には弱い。そのため、机の角やペン先などの鋭利なものが当たったときの衝撃に関してはそのまま伝播しやすいという欠点があった。そのため、そのような一層からなる低反発ウレタンフォーム層を使用すると、外部からの緩衝性が十分でなく、内部物品に衝撃が伝わりやすい。
【０００５】
また、従来のＥＶＡ樹脂で全体が覆われた熱プレス成型品は硬度５０以上が一般的である。これは緩衝性が十分でなく、外部からの衝撃が内部に直接的に伝わりやすい。また、全体が硬質のため屈曲性がなく、折りたたんで収納するようなことができないという欠点がある。なお、本明細書で「硬度」は高分子計器株式会社のＣ型硬度測定器によるものとする。
【０００６】
本発明は、クッション材としての低反発ウレタンフォーム層と表面生地の組合せを工夫することにより、緩衝性と屈曲性を併せ持ったバッグを提供することを目的とする。
【課題を解決するための手段】
【０００７】
本発明によるバッグは、クッション材として低反発ウレタンフォームを使用し、外側表面生地として前記低反発ウレタンフォームの硬度よりもより高い硬度を有する硬質部材層を使用することを特徴とする。
【発明の効果】
【０００８】
本発明のバッグによれば、次の作用により緩衝性と屈曲性が高められる。
（１）低反発ウレタンフォームと、この低反発ウレタンフォームの硬度よりもより高い硬度を有する硬質部材層を使用することにより、十分な緩衝性と屈曲性が得られる。
（２）外側の硬質部材層は外からの衝撃に強く、低反発ウレタンフォームは内部の移動エネルギーを吸収しやすいので、相乗効果を上げ十分な緩衝効果が得られる。
（３）外側の硬質部材層の保形性により、内容物の形状になじみやすい。そのため、携帯用のパソコンバッグとして使用したとき、ディスプレー面を立ててパソコンを使用している最中でも、バッグが１８０度に完全に開き切ってしまわず、ある程度自立することができる。
（４）外側の硬質部材層の硬度を２５〜５０程度とすることにより、バッグ全体の折り曲げ収納も可能となる。
【発明を実施するための最良の形態】
【０００９】
本発明において、クッション材として使用する低反発ウレタンフォームは反発弾性率が３０％以下であることが好ましい。厚みは４〜８ｍｍ程度が好ましい。
【００１０】
外側表面生地として使用する硬質部材層は、前記低反発ウレタンフォームの硬度よりもより高い硬度を有することが必要であり、例えばＥＶＡ（エチレン酢酸ビニル）樹脂やウレタン発泡体又はポリエチレン発泡体を使用することができる。その硬度は２５〜５０程度である。厚みは２〜４ｍｍ程度が好ましい。
【００１１】
前記硬質部材層と前記低反発ウレタンフォーム層の間は接着剤又は熱接着により接合するのが好ましい。
【００１２】
本発明にとって必須ではないが、低反発ウレタンフォームの内側に表面生地を貼り付けることができる。表面生地としては織物・編物等の生地を使用することができる。
【実施例１】
【００１３】
以下、添付の図面に基づき、本発明の実施例を説明する。
【００１４】
図１は、本発明の１実施例に係るパソコンバッグの斜視図であり、図２は一部断面図である。
【００１５】
このパソコン携帯用バッグ１は２つ折りタイプのバックで、折り目に当たる部分を除き、三方がスライドファスナー２で開閉自在となっている。
【００１６】
使用素材を見ると、図２に示すように、最外層としてＥＶＡ（エチレン酢酸ビニル）樹脂３が設けられ、その内側に低反発ウレタンフォーム４が設けられている。厚みはＥＶＡ層が約２ｍｍであり、低反発ウレタンフォーム４層は約６ｍｍである。最も内側には編物表面生地５が貼られている。
【００１７】
低反発ウレタンフォーム４は反発弾性率が３０％以下である。ＥＶＡ層３の硬度はそれよりも高く、２５〜５０である。
【００１８】
最外層のＥＶＡ層に対して低反発ウレタンフォーム及び編物表面生地は糸６により縫製されている。さらに、前記ＥＶＡ層と前記低反発ウレタンフォーム層の間は接着剤又は熱接着により接合されている。
【図面の簡単な説明】
【００１９】
【図１】本発明の１実施例に係るパソコンバッグの斜視図である。
【図２】本発明の１実施例に係るパソコンバッグの一部断面図である。
【符号の説明】
【００２０】
１     パソコン携帯用バッグ
２     スライドファスナー
３     ＥＶＡ樹脂
４     低反発ウレタンフォーム
５     編物表面生地
６     糸
【図１】
2005224397.tif 000003
【図２】
2005224397.tif 000004